(57)【要約】【課題】  宝石の保持力を低下させることなく宝石保持具に連結体を効率的に取り付けることができるとともに、連結体を連結棒に取り付けた後でも十分な強度を得られる宝石保持具と連結体および宝石装身具を提供すること【解決手段】  宝石が取り付けられる宝石挿入穴と、宝石挿入穴の周辺に設けられ、宝石装着後にこれを把持して固定する複数の爪部と、連結体が挿入される空隙が形成され、この連結体が取り付けられる連結棒と、連結体が挿入される下側が開口した開口部とを有し、開口部は対向する位置に２つ設けられ、これの上端中央には略三角形の切り欠き部が形成されている。【選択図】      図１
2006239058.tif 000002
【特許請求の範囲】
【請求項１】
宝石が取り付けられる宝石挿入穴と、
前記宝石挿入穴の周辺に設けられ、前記宝石装着後にこれを把持して固定する複数の爪部と、
連結体が挿入される空隙が形成され、この連結体が取り付けられる連結棒と、
前記連結体が挿入される下側が開口した開口部とを有し、
前記開口部は対向する位置に２つ設けられ、これの上端中央には略三角形の切り欠き部が形成されていることを特徴とする宝石保持具。
【請求項２】
請求項１に記載の宝石保持具において、前記連結棒に連結体を取り付けて両側から力を加えると、前記開口部の上端中央に形成された切り欠き部を軸に曲がり、前記連結棒の空隙が塞がることを特徴とする宝石保持具。
【請求項３】
請求項１に記載の宝石保持具において、前記連結棒の空隙は中心より片側にずれた位置で斜めに形成されていることを特徴とする宝石保持具。
【請求項４】
請求項１に記載の宝石保持具に宝石が取り付けられ、前記連結体で複数連結されたことを特徴とする宝石装身具。
【請求項５】
宝石が取り付けられる宝石挿入穴と、この宝石挿入穴の周辺に設けられ、前記宝石装着後にこれを把持して固定する複数の爪部と、側壁に設けられた少なくとも１つの窓部とを備えた宝石保持具を連結する連結体において、
前記連結体の両端には先端が尖り中央にスリットが入った略三角形の形状になっており、前記スリットの根元の部分はバネ力が形成されるよう円弧状の空隙になっており、
前記宝石保持具の側壁に設けられた窓部に前記連結体の先端が挿入されると、前記スリットが狭くなることで挿入され、完全に挿入されると前記スリットが元の広さに復元して抜けなくなることを特徴とする連結体。
【発明の詳細な説明】
【技術分野】
【０００１】
本発明は宝石装身具、より具体的にはネックレスやブレスレット等の宝石装身具において、例えばファセットカットした宝石を保持する宝石保持具とこれを複数連結する連結体に関する。
【背景技術】
【０００２】
例えばファセットカットした宝石を宝石保持具に取り付け、これを複数連結してネックレスやブレスレットにする宝石装身具がある。図１１は従来技術における宝石保持具を示した正面図である。宝石保持具７０はファセットカットした例えばダイヤモンド等の宝石３０が取り付けられる保持具であり、例えば図３に示す連結体２０により連結される。
【０００３】
具体的には、宝石保持具７０には連結棒８０を挿入する孔７２が穿設され、連結体２０の孔２６にこの連結棒８０を挿入することで連結体２０を宝石保持具７０に取り付ける。この際、連結棒８０は外れないように例えばロウ付け処理を行っていた。
【０００４】
しかしながら、図１１に示す宝石保持具７０では、これらを連結するのに連結体２０を連結棒８０により取り付けた後、連結棒８０のロウ付け処理を行わなければならなかった。宝石保持具７０の大きさは種々あるが、その多くは例えば幅が５ミリ位大きさであり、連結棒８０で連結体２０を取り付けてロウ付けを行う作業は熟練と多くの手間がかかるという問題があった。
【０００５】
そこで考えられたものが図１１に示す宝石保持具６０である。この従来技術では、連結体２０を取り付ける連結棒６６が宝石保持具６０に一体成型されており、連結棒６６のロウ付け処理を不要としたものである。同図に示すように、連結棒６６は空隙６８が形成されており、連結体２０の孔２６（図３参照）がこの空隙６８から挿入できるようになっている。
【０００６】
宝石保持具６０に連結体２０を取り付ける場合、空隙６８から連結体２０の孔２６を挿入して取り付けた後、矢印Ｆに示すように両側から力を加えてかしめ、空隙６８を接触させる。宝石保持具６０をこのような構造にすることで、図１１に示した従来技術では連結作業の効率化を図っていた。
【発明の開示】
【発明が解決しようとする課題】
【０００７】
しかしながら、図１１に示した従来技術では宝石保持具６０の連結作業を効率的に行うことができるが、新たな問題が発生した。すなわち、この従来技術では力Ｆを加えてかしめた際、開口部６３の上部６４に力が加わり湾曲するが、湾曲する箇所が特定されず宝石３０を保持している爪６２が開いて保持力が低下するという問題があった。また、宝石保持具６０を身に着けていると連結体２０によりかしめ加工された連結棒６６の元空隙であった最も強度の弱い空隙６８の個所に力が加わり、この部分が開いて連結体２０が外れてしまうという問題もあった。
【０００８】
本発明はこのような従来技術の課題を解決し、宝石の保持力を低下させることなく宝石保持具に連結体を効率的に取り付けることができるとともに、連結体を連結棒に取り付けた後でも十分な強度を得られる宝石保持具と連結体および宝石装身具を提供することを目的とする。
【課題を解決するための手段】
【０００９】
本発明は上記課題を解決するための手段として、請求項１に記載された発明は、宝石が取り付けられる宝石挿入穴と、宝石挿入穴の周辺に設けられ、この宝石装着後にこれを把持して固定する複数の爪部と、連結体が挿入される空隙が形成され、この連結体が取り付けられる連結棒と、連結体が挿入される下側が開口した開口部とを有し、この開口部は対向する位置に２つ設けられ、これの上端中央には略三角形の切り欠き部が形成されていることを特徴とする。請求項２に記載された発明は、請求項１に記載の宝石保持具において、連結棒に連結体を取り付けて両側から力を加えると、開口部の上端中央に形成された切り欠き部を軸に曲がり、連結棒の空隙が塞がることを特徴とする。請求項３に記載された発明は、  請求項１に記載の宝石保持具において、連結棒の空隙は中心より片側にずれた位置で斜めに形成されていることを特徴とする。請求項４に記載された発明は、  請求項１に記載の宝石保持具に宝石が取り付けられ、連結体で複数連結されたことを特徴とする宝石装身具。請求項５に記載された発明は、宝石が取り付けられる宝石挿入穴と、この宝石挿入穴の周辺に設けられ、前記宝石装着後にこれを把持して固定する複数の爪部と、側壁に設けられた少なくとも１つの窓部とを備えた宝石保持具を連結する連結体において、この連結体の両端には先端が尖り中央にスリットが入った略三角形の形状になっており、スリットの根元の部分はバネ力が形成されるよう円弧状の空隙になっており、宝石保持具の側壁に設けられた窓部に連結体の先端が挿入されると、スリットが狭くなることで挿入され、完全に挿入されるとスリットが元の広さに復元して抜けなくなることを特徴とする。
【発明の効果】
【００１０】
本発明によれば、宝石の保持力を低下させることなく宝石保持具に連結体を効率的に取り付けることができるとともに、連結体を連結棒に取り付けた後でも十分な強度を得られる宝石保持具を提供できる。また、本発明によれば宝石保持具を簡単に連結できる連結体を提供することができる。
【発明を実施するための最良の形態】
【００１１】
次に添付図面を参照して本発明による宝石保持具と連結体および宝石装身具の実施の形態を説明する。
【００１２】
図１は本発明による宝石保持具の実施の形態を示す正面図（Ａ）、側面図（Ｂ）および底面図（Ｃ）であり、また図２はその斜視図である。宝石保持具１０は、例えば金、銀、プラチナ等の貴金属や真鍮等の金属を原料として形成されており、上部および下部が開口した半球状（図２参照）の形状を備えている。
【００１３】
上部の開口部は例えばファセットカットした宝石（図示せず）を挿入する宝石挿入穴１１であり、その周囲には宝石を把持する複数の爪部１２が一体成型されている。爪部１２は宝石が装着される前は概ね垂直に開いており、取り付け後に内側に折り曲げることにより宝石を把持して固定する。
【００１４】
宝石保持具１０はまた、図１（Ａ）および図１（Ｃ）に示すように、連結体２０（図３参照）を挿入する開口部１５が側面の対向する位置に２つ形成されている。これら開口部１５はそれぞれ、その上端１７の中央に略三角形状の切り欠き部１８が形成されている。
【００１５】
宝石保持具１０はさらに、連結体２０を取り付ける２本の連結棒１４があらかじめ取り付けられている。この連結棒１４には、連結体２０が挿入される空隙１６が形成されている。この空隙１６は斜めでかつセンタから左右いずれかにずれた位置に形成される。すなわち、例えば図１（Ｃ）で上に位置する連結棒１４aは中央より左側に空隙１６aが形成され、また下に位置する連結棒１４bは中央より右側に空隙１６bが形成されている。
【００１６】
図３は連結体２０の正面図（図３（Ａ））と側面図（図３（Ｂ））である。連結体２０は、宝石保持部１０と同様に、例えば金、銀、プラチナ等の貴金属や真鍮等の金属を原料として形成されている。連結体２０は、図３（Ａ）に示すように、長方形状の胴部２２の両端にリング２４aおよび２４bが一体成型され、これらリング２４a，２４bに形成された孔２６a，２６bに連結棒１４が遊挿される。
【００１７】
連結体２０はまた、図３（Ｂ）に示すように、略板形状である。より詳細には、胴部２２はセンタからリング２４に向かって僅かに厚くなるように形成され、胴部２２よりリング２４の方が僅かに薄くなっている。なお、連結体２０の形状は強度と美的を兼ね備えた形状であれば特に図３に示す形状でなくてもよい。
【００１８】
図４は宝石保持部１０に宝石３０を取り付け、さらに連結体２０を取り付けるときの工程を図示したものである。なお、宝石３０は例えば、ダイヤモンド、エメラルド、ルビー等の天然石や合成キュービック  ジルコニア等の人工石である。
【００１９】
初めに、図４（Ａ）に示すように、宝石３０を宝石保持部１０の宝石挿入穴１１に挿着し、その後、爪部１２を内側に折り曲げて宝石３０を宝石保持部１０に固定する。次に、図４（Ｂ）に示すように、連結棒１４の空隙１６に連結体２０の孔２６を挿入して連結体２０を連結棒１４に遊挿する。
【００２０】
連結体２０を取り付けたら、図４（Ｃ）に示すように、連結棒１４の空隙１６が塞がるまで側面を力Ｆでかしめる。力Ｆが加わると、開口部１５が変形するが、その上端１７中央には切り欠き１８が形成されているので、ここを軸として開口部が曲がり連結棒１４の斜面が重なって空隙１６がなくなる。
【００２１】
このように、宝石保持部１０では切り欠き１８によって力Ｆが加わったときに何時でも同じ形状に変形するので、従来技術のようにかしめた際に爪部１２に影響を与えることが無い。また、連結棒１４の空隙１８は中心から位置がずれているので直接連結体２０の力が加わることがないとともに、かしめた後は連結棒１４に力が加わっても下側になる斜面（図４（Ｃ）では連結棒１４の左側斜面）により担持されるので、従来技術と比較して格段に強度を増すことができる。
【００２２】
図５は図１に示した宝石保持部１０に宝石３０を取り付け、連結体２０を取り付けた宝石装身具１の一部を図示した斜視図である。連結体２０は連結棒１４に遊挿され、これを軸に上下に動くことができる。したがって、宝石保持部１０に宝石３０を取り付けた後、数珠繋ぎを行って所望の長さのリングにすることが可能なので、ネックレスのような長いものからブレスレットのような短い宝石装身具まで作ることが可能である。
【００２３】
図６は宝石保持具の他の実施の形態を示した宝石保持具４０の斜視図である。また、図７はこの宝石保持具４０を連結する連結体５０の正面図（Ａ）と断面図（Ｂ），（Ｃ），（Ｄ）である。宝石保持具４０は、宝石保持部１０と同様の材質で形成され、略四角形の形状を備えている。
【００２４】
図６に示すように、宝石保持具４０は上部四隅に４本の爪部４２が垂直に取り付けられており、宝石をのせた後、この爪部４２を折り曲げることによって宝石を固定する構造になっている。宝石保持具４０はまた、爪部４２の下に２つの窓４６が穿設された本体４４が取り付けられている。２つの窓４６は、連結体５０が取り付けられる窓であり、幅がｗで対向する位置に設けられている。
【００２５】
連結体５０は、図７に示すように、幅ｗ’の板状でその両端が先端が尖った三角形状になっている。より詳細には、三角形状の先端部５２にはスリット５４の空隙が形成され、さらにその根元の部分は円い空隙５６になっている。このように空隙５６を円くすることで、先端部５２が左右から押されて先端部５２が内側に曲がりスリット５４が無くなっても、左右からの力が無くなると元の状態に復元するバネを形成することができる。
【００２６】
連結体５０は宝石保持具４０の窓４６に挿着されるので、本体の幅ｗ’は窓４６の幅ｗよりも狭くなっている。図７の（Ｂ）は連結体５０をｘ−ｘ’で切断したときの断面図であり、（Ｄ）はｙ−ｙ’で切断したときの断面図である。また、（Ｃ）は連結体５０の胴部をドーム形にしたときのｘ−ｘ’で切断したときの断面図である。
【００２７】
図８は宝石保持具４０に連結体５０を取り付けたときの連結体５０の流れを示す説明図である。（Ａ）は挿入前の状態であり、（Ｂ）は挿入直後の状態を示している。（Ｂ）に示すように連結体５０を挿入していくと、先端５０の両側の斜面が窓４６の側壁に当接し、さらに押し込むと先端部５０の両側に力が加わる。この力によって、スリット５４の空隙が（Ｃ）に示すように狭くなり窓４６から連結体５０を宝石保持具４０に挿着することができる。挿着後、（Ｄ）に示すように、空隙５６によって先端部５０が元の形状に復元されるので、連結体５０が宝石保持具４０から簡単に外れることは無い。
【００２８】
図９は宝石保持具４０に宝石３０を取り付け、連結体５０で複数連結した宝石装身具２の一部を示した斜視図である。図９に示すように、宝石装身具２の場合でもつなげる個数を変えることでネックレスからブレスレットまで対応することが可能である。
【図面の簡単な説明】
【００２９】
【図１】本発明による宝石保持具の実施の形態を示す正面図（Ａ），側面図（Ｂ）および底面図（Ｃ）である。
【図２】図１に示した宝石保持具の斜視図である。
【図３】図１に示した宝石保持具間を連結する連結体の実施の形態を示す正面図（Ａ）および側面図（Ｂ）である。
【図４】図１に示した宝石保持具に図３に示した連結体を取り付けるときの流れを示した説明図である。
【図５】図１に示した宝石保持具に図３に示した連結体を取り付けた宝石装身具の一部を示した斜視図である。
【図６】本発明による宝石保持具の他の実施の形態を示す斜視図である。
【図７】図６に示した宝石保持具に取り付ける連結体の実施の形態を示す正面図（Ａ）,断面図（Ｂ）,（Ｄ）および断面図（Ｂ）の他の例の断面図（Ｃ）である。
【図８】図６に示した宝石保持具に図７に示した連結体を取り付けるときの流れを示した説明図である。
【図９】図６に示した宝石保持具に図７に示した連結体を取り付けた宝石装身具の一部を示した斜視図である。
【図１０】従来技術における宝石保持具と連結体の一例を示す正面図である。
【図１１】従来技術における宝石保持具と連結体の他の例を示す正面図である。
【符号の説明】
【００３０】
１、２  宝石装身具
１０、４０  宝石保持具
１１  宝石挿入穴
１２、４２  爪部
１４  連結棒
１５  開口部
１６、５６  空隙
１７  上端
１８  切り欠き
２０、５０  連結体
２２  胴部
２４  リング
２６  孔
３０  宝石
４４  本体
４６  窓
５２  先端部
５４  スリット
【図１】
2006239058.tif 000003
【図２】
2006239058.tif 000004
【図３】
2006239058.tif 000005
【図４】
2006239058.tif 000006
【図５】
2006239058.tif 000007
【図６】
2006239058.tif 000008
【図７】
2006239058.tif 000009
【図８】
2006239058.tif 000010
【図９】
2006239058.tif 000011
【図１０】
2006239058.tif 000012
【図１１】
2006239058.tif 000013